(57)【要約】  【課題】  確実に中柱の固定を保持することができ、シャッターカーテンの施錠装置を使い勝手の良い位置に設けることを可能とする中柱ロック装置およびこの装置を用いたシャッターを提供する。  【解決手段】  シャッターカーテン１間に取り外し自在に設置される中柱２をロックするための中柱ロック装置Ｄであって、前記中柱１を床面Ｗｂに固定する固定状態と固定しない解除状態とに切り換わる固定部材１１と、この固定部材１１に連動する連動部材１２とを備え、前記連動部材１２は、前記シャッターカーテン１によりその連動が抑止されるロック状態と抑止されないアンロック状態とに切り換わるように構成してあり、また、前記連動部材１２がアンロック状態にあるときには、前記固定部材１１の固定状態から解除状態への切り換えが許容され、ロック状態にあるときには、前記固定部材１１の固定状態から解除状態への切り換えが阻止されるように構成してある。  【選択図】  図５
2005048508.tif 000002
【特許請求の範囲】
【請求項１】
シャッターカーテン間に取り外し自在に設置される中柱をロックするための中柱ロック装置であって、前記中柱を床面に固定する固定状態と固定しない解除状態とに切り換わる固定部材と、この固定部材に連動する連動部材とを備え、前記連動部材は、前記シャッターカーテンによりその連動が抑止されるロック状態と抑止されないアンロック状態とに切り換わるように構成してあり、また、前記連動部材がアンロック状態にあるときには、前記固定部材の固定状態から解除状態への切り換えが許容され、ロック状態にあるときには、前記固定部材の固定状態から解除状態への切り換えが阻止されるように構成してあることを特徴とする中柱ロック装置。
【請求項２】
前記連動部材は、一端が軸支されて回動自在となっており、また、前記固定部材は、中柱に設けられた保持体によって保持されつつ上下にスライドし、そのスライドによって前記固定状態と解除状態とに切り換わるとともに、前記スライド時に前記連動部材に当接する当接部分を有しており、固定部材の上下のスライド時に前記当接部分が連動部材に当接することにより、連動部材が固定部材に連動して回動するように構成してある請求項１に記載の中柱ロック装置。
【請求項３】
前記連動部材は、シャッターカーテンが任意の閉鎖位置にあるときに前記ロック状態となる請求項１または２に記載の中柱ロック装置。
【請求項４】
連ねて配置される複数のシャッターカーテンと、シャッターカーテン間に取り外し自在に設置される中柱とを備え、前記中柱に、請求項１〜３のいずれかに記載の中柱ロック装置を用いたシャッター。
【発明の詳細な説明】
【技術分野】
【０００１】
この発明は、例えば、倉庫、工場、ガレージ等のような建造物の出入口や、デパート等の建造物内の区画エリア（例えば店舗として存在するエリア）の出入口において、複数のシャッターカーテンを連ねて設けるときに、シャッターカーテン間に設置される中柱をロックするための中柱ロック装置およびこの中柱ロック装置を用いたシャッターに関する。
【背景技術】
【０００２】
【特許文献１】特開平５−２８７９７２号公報
【０００３】
建造物の出入口や建造物内の区画エリアの出入口に複数のシャッターカーテンを連ねて設けるときに、シャッターカーテン間に設置される中柱の取り付けは、その上部を前記出入口の上壁部（桁）に係合させ、下部を前記出入口の下壁部（受皿）の上に位置させて、中柱に上下に摺動可能に取り付けられた落とし棒を前記下壁部の孔に落とし込むことにより行われる。このように取り付けられた中柱は、ずれることなく強固に固定された状態となる。
【発明の開示】
【発明が解決しようとする課題】
【０００４】
しかし、シャッターカーテンを下まで降ろした状態で施錠しておいても、前記シャッターカーテンがパイプシャッター（グリルシャッター）である場合、パイプシャッターを構成するパイプの間から手を入れて前記落とし棒を持ち上げれば、中柱の下端を簡単に床面から取り外して持ち上げることができるようになるという問題があった。なお、このようにして中柱の下端を持ち上げることができる状態では、シャッター内への侵入が容易に可能となる。
【０００５】
そこで、上記特許文献１に示すように、前記落とし棒に連携された係止部と、シャッター側に設けられシャッターの全閉位置において前記係止部に係合して落とし棒の移動を阻止する規制部材とを設け、シャッターを閉鎖すると、前記係止部にシャッターカーテンの重量がかかるように構成されたものがある。この中柱ロック装置では、シャッターカーテンを上げない限り落とし棒を持ち上げることができない。
【０００６】
しかし、特許文献１に示す中柱ロック装置でも、シャッターカーテンが軽量なパイプシャッターである場合、シャッターカーテンに対して強引に持ち上げるような力を加えると、シャッターカーテンが「く」の字に屈折し、屈折した分だけ座板が床面から持ち上がり、これにより、落とし棒を持ち上げることが可能となってしまう。そのため、このような持ち上がりを防止するために、パイプシャッター本体を施錠するための施錠装置は、シャッターカーテンの下端部付近に設けることが一般的になっている。だが、上記のように構成した場合、パイプシャッター本体の足元近くにある施錠装置の施錠および解錠操作を行うために、その操作を行う人が毎回しゃがまなければならず、使い勝手が悪いという問題があった。
【０００７】
この発明は上述の事柄に留意してなされたもので、その目的は、確実に中柱の固定を保持することができ、シャッターカーテンの施錠装置を使い勝手の良い位置に設けることを可能とする中柱ロック装置およびこの装置を用いたシャッターを提供することである。
【課題を解決するための手段】
【０００８】
上記目的を達成するために、この発明の中柱ロック装置は、シャッターカーテン間に取り外し自在に設置される中柱をロックするための中柱ロック装置であって、前記中柱を床面に固定する固定状態と固定しない解除状態とに切り換わる固定部材と、この固定部材に連動する連動部材とを備え、前記連動部材は、前記シャッターカーテンによりその連動が抑止されるロック状態と抑止されないアンロック状態とに切り換わるように構成してあり、また、前記連動部材がアンロック状態にあるときには、前記固定部材の固定状態から解除状態への切り換えが許容され、ロック状態にあるときには、前記固定部材の固定状態から解除状態への切り換えが阻止されるように構成してある（請求項１）。
【０００９】
具体的には、前記連動部材は、一端が軸支されて回動自在となっており、また、前記固定部材は、中柱に設けられた保持体によって保持されつつ上下にスライドし、そのスライドによって前記固定状態と解除状態とに切り換わるとともに、前記スライド時に前記連動部材に当接する当接部分を有しており、固定部材の上下のスライド時に前記当接部分が連動部材に当接することにより、連動部材が固定部材に連動して回動するように構成してある（請求項２）。
【００１０】
より具体的には、前記連動部材は、シャッターカーテンが任意の閉鎖位置にあるときに前記ロック状態となる（請求項３）。
【００１１】
一方、この発明のシャッターは、連ねて配置される複数のシャッターカーテンと、シャッターカーテン間に取り外し自在に設置される中柱とを備え、前記中柱に、請求項１〜３のいずれかに記載の中柱ロック装置を用いた（請求項４）。
【発明の効果】
【００１２】
上記の構成からなる発明では、確実に中柱の固定を保持することができ、シャッターカーテンの施錠装置を使い勝手の良い位置に設けることを可能とする中柱ロック装置およびこの装置を用いたシャッターを提供することができる。
【００１３】
すなわち、この発明の中柱ロック装置およびシャッターでは、シャッターカーテンを任意の閉鎖位置まで降ろした状態で施錠しておけば、前記シャッターカーテンがパイプシャッターにより構成されており、シャッターカーテンを構成するパイプ間から手を入れて、中柱を床面に固定した固定状態にある前記固定部材を持ち上げ、解除状態に切り換えようとしても、例えば、シャッターカーテンが任意の閉鎖位置にあるときには前記連動部材がロック状態となるように設定しておけば、前記固定部材の固定状態から解除状態への切り換えが阻止されるため、中柱が固定部材により床面に固定された状態が確実に保持されることとなる。
【００１４】
また、例えば、シャッターカーテンを上記任意の閉鎖位置よりも上方に上げたときには前記連動部材がアンロック状態となるように設定しておけば、任意の閉鎖位置にあるシャッターカーテンを解錠して持ち上げるだけで、前記固定部材の固定状態から解除状態への切り換えが許容され、固定部材を解除状態に切り換えることで、中柱を床面から簡単に取り外すことができる。
【００１５】
さらに、連動部材をロック状態とするシャッターカーテンの任意の閉鎖位置を、例えば、全閉位置ではなく全閉位置よりも若干上方の位置に設定することにより、シャッターカーテンが若干持ち上げられたとしても連動部材のロック状態が解除されないので、シャッターカーテンの施錠装置を使い勝手の良い腰高位置に設定することができる。
【発明を実施するための最良の形態】
【００１６】
以下、この発明の詳細を、図を参照しながら説明する。図１は、本発明の一実施例に係る中柱ロック装置Ｄが適用されるシャッターＳの構成を概略的に示す説明図、図２は、前記シャッターＳの構成を概略的に示す縦断面図である。
【００１７】
前記シャッターＳは、例えば、パイプシャッターであり、建造物の出入口や建造物内の区画エリアの出入口など、上壁Ｗａ、下壁Ｗｂおよび左右の側壁（図示せず）によって囲まれた出入口に設けられるものである。
【００１８】
そして、シャッターＳは、連ねて配置される複数（本実施例では２枚）のシャッターカーテン１と、シャッターカーテン１間に取り外し自在に設置される中柱２と、連ねて配置された複数のシャッターカーテン１の両端側に配置され、両端側にあるシャッターカーテン１の側端部（詳しくは、図１では右側のシャッターカーテン１の右側端部と左側のシャッターカーテン１の左側端部）をガイドする２つのガイドレール３と、前記中柱２およびガイドレール３の上方に配置されるシャッターケース４とを備えている。
【００１９】
前記シャッターカーテン１は、上下に所定の間隔をおいて多数本のパイプ５をリンク６で連結するとともに、下端には座板７を連結してなる。また、シャッターカーテン１は、前記中柱２に形成されたシャッター案内部１０（後述する）と前記ガイドレール３とにガイドされて上下方向にスライドし、前記シャッターケース４内に設けられたシャフト８に巻き取られるように構成されている。
【００２０】
さらに、シャッターカーテン１の中央部または下部には、施錠することにより、中柱２およびガイドレール３に対してシャッターカーテン１を固定し、シャッターカーテン１の前記上下方向のスライドを不能にするための施錠装置９が設けられている。この施錠装置９は、例えば、鍵を用いて施錠および解錠することができるように構成されている。なお、本実施例では、前記施錠装置９は、シャッターカーテン１の下端から７００〜８００ｍｍの位置に設けられている。
【００２１】
前記中柱２は、上下方向に延び、前記シャッターカーテン１をガイドするための中空のシャッター案内部１０をそれぞれ左右両側に有している（図３参照）。
【００２２】
そして、前記中柱２は、その上部を、前記シャッターケース４の底部または前記出入口を構成する上壁Ｗａの底部に係合し、その下部を、前記出入口を構成する下壁Ｗｂの上に位置させて、中柱２に上下に摺動可能に取り付けられた摺動杆１５（後述する）を下壁Ｗｂに設けられた孔Ｈ（図２参照）に落とし込むことにより行われる。このように取り付けられた中柱２は、ずれることなく強固に固定された状態となる。
【００２３】
図３および図４は、前記中柱ロック装置Ｄの構成を概略的に示す横断面図および部分透視背面図、図５および図６は、シャッターカーテン１を閉じてあるときおよび開けてあるときの中柱ロック装置Ｄの構成を概略的に示す説明図である。
【００２４】
前記中柱ロック装置Ｄは、シャッターカーテン１間に取り外し自在に設置される中柱２をロックするためのものであり、前記中柱２を床面（前記出入口を構成する下壁Ｗｂ）に固定する固定状態と固定しない解除状態とに切り換わる固定部材１１と、この固定部材１１に連動する複数（本実施例では２つ）の連動部材１２とを備えている。
【００２５】
前記固定部材１１は、前記中柱２の背面側に設けられたケース状の保持体１３に保持されつつ上下にスライドし、そのスライドによって前記固定状態と解除状態とに切り換わるとともに、前記スライド時に前記連動部材１２に当接する当接部分１４を有している。
【００２６】
詳しくは、前記固定部材１１は、前記出入口を構成する下壁Ｗｂに形成された孔Ｈ（図２参照）内に下端が挿入される平行な２本の棒状部１５ａの上端部どうしが把手部１５ｂを介して連設されてなるほぼＵ字形状の部材である摺動杆１５と、この摺動杆１５の２つの棒状部１５ａのそれぞれ中央部に連結された前記当接部分１４としての２つの当たり金具とを備えている。
【００２７】
前記摺動杆１５の内側には、上下にそれぞれ１対ずつ計４か所に凹入部１６が形成されており、前記保持体１３内に収容され、付勢手段（例えばスプリング）１７により外側に付勢された球状体１８が前記凹入部１６に嵌合する。なお、前記凹入部１６は、固定部材１１（摺動杆１５）が上側に引き上げられ、前記棒状部１５ａの下端が孔Ｈ外に出た前記解除状態と、固定部材１１（摺動杆１５）が下側に落とされて、前記棒状部１５ａの下端が孔Ｈ内に挿入された前記固定状態とにそれぞれ対応する位置に設けられている。
【００２８】
さらに、摺動杆１５の各棒状部１５ａの下部には、摺動杆１５が保持体１３の上方に抜けることを防止するための抜け止め部１５ｃが、例えばプレス加工により形成されている。
【００２９】
前記当たり金具１４は、摺動杆１５を構成する２本の棒状部１５ａのそれぞれ中央部に連結されており、前記シャッター案内部１０内に挿入され、かつ摺動杆１５とともに上下に移動するように構成されている。詳しくは、前記当たり金具１４は、図３に示すように、平面視ほぼＬ字形状となるように屈曲した板状体からなり、中柱２の背面部を挿通するように前後方向に延び、後端部が前記棒状部１５ａに連結された第１部分１４ａと、この第１部分１４ａの前端から横方向に延びる第２部分１４ｂとを有している。そして、前記中柱２の背面部において前記第１部分１４ａに挿通される部分には、上下方向に長い長孔２ａが設けられている。
【００３０】
前記連動部材１２は、前記中柱２（シャッター案内部１０）の内部に収容され、中柱２の内壁に固定された軸支部１９に一端部（上端部）が軸支されて回動自在となっているほぼ板状の止め金具からなる。
【００３１】
また、前記連動部材１２には、図５に示すように、固定部材１１側に突出する突出部分２０がその中央部に設けられている。この突出部分２０は、上下に移動する前記当たり金具１４が当接するように構成されており、上下にそれぞれ斜面あるいは湾曲面からなるガイド面２０ａ，２０ｂを有している。
【００３２】
そして、本実施例では、前記当たり金具１４が連動部材１２に当接することにより、連動部材１２が固定部材１１に連動して回動するように構成してある。詳しくは、前記連動部材１２は、固定部材１１の上下のスライド時に、その突出部分２０のガイド面２０ａ，２０ｂのいずれかに前記当たり金具１４が当接すると、軸支部１９に軸支されている一端を中心に回動し、図５において２点鎖線で示す状態となり、突出部分２０が前方に移動して、当たり金具１４が突出部分２０を乗り越えられるように構成されている。
【００３３】
上記の構成からなる中柱ロック装置Ｄでは、前記連動部材１２は、前記シャッターカーテン１により固定部材１１との連動が抑止されるロック状態と抑止されないアンロック状態とに切り換わるように構成してあり、また、前記連動部材１２がアンロック状態にあるときには、前記固定部材１１の固定状態から解除状態への切り換えが許容され、ロック状態にあるときには、前記固定部材１１の固定状態から解除状態への切り換えが阻止されるように構成してある。
【００３４】
詳しくは、前記連動部材１２は、シャッターカーテン１が任意の閉鎖位置（この実施例では全閉位置よりも若干上方の位置）にあるときには、このシャッターカーテン１の側面に当接し、この当接によって回動が妨げられた前記ロック状態となり（図５参照）、シャッターカーテン１が上記任意の閉鎖位置よりも上方に上がっているときには、このシャッターカーテン１の側面に当接せず、自由に回動する前記アンロック状態となる（図６参照）。
【００３５】
すなわち、図５に示すように、シャッターカーテン１が任意の閉鎖位置にあるときには、前記固定状態にある固定部材１１を上方にスライドさせて解除状態に切り換えようとしても、シャッターカーテン１によって固定部材１１との連動（回動）が妨げられたロック状態にある連動部材１２の突出部分２０を、固定部材１１の当たり金具（当接部分）１４が乗り越えることができず、従って、固定部材１１を上方にスライドさせて解除状態に切り換えることが阻止される。
【００３６】
一方、前記シャッターカーテン１を前記任意の閉鎖位置よりも上方に上げて、座板７が床面（下壁Ｗｂ）から所定の距離ｄ以上上方に上がった状態としたときには、前記固定状態にある固定部材１１を上方にスライドさせて解除状態に切り換えようとすると、シャッターカーテン１によって固定部材１１との連動（回動）が妨げられていないアンロック状態にあり自由に回動する連動部材１２の突出部分２０を、固定部材１１の当たり金具（当接部分）１４が乗り越えることができ、従って、固定部材１１を上方にスライドさせて解除状態に切り換えることが許容される。
【００３７】
なお、例えば、図７に示すように、前記当接部分１４の位置が上方に移動するように固定部材１１を上下方向に延ばすと共に、前記連動部材１２の取り付け位置を上方に移動させれば、前記シャッターカーテン１の任意の閉鎖位置をより上方に移動させることができ、シャッターカーテン１の施錠装置９の位置もより上方に移動させることができる。
【００３８】
また、シャッターカーテン１の前記任意の閉鎖位置を全閉位置としてもよい。この場合には、シャッターカーテン１の施錠装置９をシャッターカーテンの下端部付近に設ける必要があるが、シャッターカーテン１を構成するパイプ５とパイプ５の間から手を入れて前記固定部材１１が持ち上げられることは確実に防止される。
【図面の簡単な説明】
【００３９】
【図１】本発明の一実施例に係る中柱ロック装置が適用されるシャッターの構成を概略的に示す説明図である。
【図２】前記シャッターの構成を概略的に示す縦断面図である。
【図３】前記中柱ロック装置の構成を概略的に示す横断面図である。
【図４】前記中柱ロック装置の構成を概略的に示す部分透視背面図である。
【図５】シャッターカーテンを閉じてあるときの中柱ロック装置の構成を概略的に示す説明図である。
【図６】シャッターカーテンを開けてあるときの中柱ロック装置の構成を概略的に示す説明図である。
【図７】前記中柱ロック装置の変形例の構成を概略的に示す説明図である。
【符号の説明】
【００４０】
１  シャッターカーテン
２  中柱
１１  固定部材
１２  連動部材
Ｄ  中柱ロック装置
Ｗｂ  床面
【図１】
2005048508.tif 000003
【図２】
2005048508.tif 000004
【図３】
2005048508.tif 000005
【図４】
2005048508.tif 000006
【図５】
2005048508.tif 000007
【図６】
2005048508.tif 000008
【図７】
2005048508.tif 000009